(57)【要約】      （修正有）【課題】輪状ステータコア及びステータ巻線に対する外部からの磁界及び電界のうち少なくとも一つの影響を低減する手段を提供する。【解決手段】輪状ステータコア２の径方向外側には、輪状ステータコア２の第１端面２ａ及び第２端面２ｂが設けられ、ステータ巻線３を覆うための樹脂製の第１輪状巻線カバー５ａ及び第２輪状巻線カバー５ｂが設けられている。第１輪状巻線カバー５ａ及び第２輪状巻線カバー５ｂには、機能性めっき５０が施されている。機能性めっき５０は、磁気遮蔽機能及び静電遮蔽機能のうち少なくとも一つの機能を有するめっきであり、目的に応じた適当な種類のめっきであればよい。これにより、レゾルバステータ構造１の外部から輪状ステータコア２及びステータ巻線３への磁界及び高周波ノイズの影響を低減することができる。【選択図】図２
2017062142.tif 000002
【特許請求の範囲】
【請求項１】
複数のティース（２０）を有する輪状ステータコア（２）と、
前記ティース（２０）に輪状絶縁カバー（２１）を介して巻回されたステータ巻線（３）と、
前記輪状ステータコア（２）の第１端面（２ａ）及び第２端面（２ｂ）に設けられ、前記ステータ巻線（３）を覆うための第１輪状巻線カバー（５ａ）及び第２輪状巻線カバー（５ｂ）と
を備え、
前記第１輪状巻線カバー（５ａ）及び前記第２輪状巻線カバー（５ｂ）には、磁気遮蔽機能及び静電遮蔽機能のうち少なくとも一つの機能を有する機能性めっき（５０）が施されている
ことを特徴とするレゾルバステータ構造。
【請求項２】
前記機能性めっき（５０）は、強磁性体を用いた磁気遮蔽機能を有するめっきである
ことを特徴とする、請求項１に記載のレゾルバステータ構造。
【請求項３】
前記機能性めっき（５０）は、導電性材料を用いた静電遮蔽機能を有するめっきである
ことを特徴とする、請求項１に記載のレゾルバステータ構造。
【請求項４】
前記機能性めっき（５０）は、強磁性体を用いた磁気遮蔽機能を有するめっき及び導電性材料を用いた静電遮蔽機能を有するめっきの両方を施しためっきである
ことを特徴とする、請求項１に記載のレゾルバステータ構造。
【発明の詳細な説明】
【技術分野】
【０００１】
この発明はレゾルバステータ構造に関し、特に、輪状巻線カバーに電磁気的機能を有するめっきが施されているレゾルバステータ構造に関する。
【背景技術】
【０００２】
従来用いられてきたレゾルバステータ構造としては、例えば以下の特許文献などに記載された構成を図２として挙げることができる。すなわち、従来のレゾルバステータ構造１には、輪状ステータコア２が設けられている。前記輪状ステータコア２は複数のティース２０を備え、前記各ティース２０には輪状絶縁カバー２１を介してステータ巻線３がそれぞれ巻かれている。
【０００３】
前記輪状ステータコア２の外周縁２２には、突起からなる隙間形成部２３が形成されている。そして、前記輪状ステータコア２の径方向外側には、前記隙間形成部２３に接する状態で、カップ状のシールド部材４が設けられている。このレゾルバステータ構造１では、前記シールド部材４により前記輪状ステータコア２及び前記ステータ巻線３に対する外部からの磁界の影響が低減される。また、前記輪状ステータコア２及び前記ステータ巻線を保護するために、前記シールド部材４の径方向外側に図示しない輪状巻線カバーが設けられている。
【先行技術文献】
【特許文献】
【０００４】
【特許文献１】特開２０１４−１２４０１２号公報
【発明の概要】
【発明が解決しようとする課題】
【０００５】
しかし、上記のレゾルバステータ構造１では、図示しない輪状巻線カバーとは別体に前記シールド部材４を設けるので、部品点数の増加とコストの増大を招く恐れがあるという課題があった。
【０００６】
この発明はこのような課題を解決するためになされたものであり、部品点数の増加とコストの増大を抑えて、輪状ステータコア及びステータ巻線に対する外部からの磁界及び電界のうち少なくとも一つの影響を低減するシールド機能を有するレゾルバステータ構造を提供することを目的とする。
【課題を解決するための手段】
【０００７】
この発明に係るレゾルバ―ステータ構造は、複数のティースを有する輪状ステータコアと、前記ティースに輪状絶縁カバーを介して巻回されたステータ巻線と、前記輪状ステータコアの第１端面及び第２端面に設けられ、前記ステータ巻線を覆うための第１輪状巻線カバー及び第２輪状巻線カバーとを備え、前記第１輪状巻線カバー及び前記第２輪状巻線カバーには、磁気遮蔽機能及び静電遮蔽機能のうち少なくとも一つの機能を有する機能性めっきが施されている構成であり、また、前記機能性めっきは、強磁性体を用いた磁気遮蔽機能を有するめっきであり、前記機能性めっきは、導電性材料を用いた静電遮蔽機能を有するめっきであり、前記機能性めっきは、強磁性体を用いた磁気遮蔽機能を有するめっき及び導電性材料を用いた静電遮蔽機能を有するめっきの両方を施しためっきである。
【発明の効果】
【０００８】
この発明のレゾルバステータ構造によれば、前記ステータ巻線を覆うための第１輪状巻線カバー及び第２輪状巻線カバーには磁気遮蔽機能及び静電遮蔽機能のうち少なくとも一つの機能を有する機能性めっきが施されており、輪状ステータコア及びステータ巻線に対する外部からの磁界及び電界のうち少なくとも一つの影響を低減するシールド機能をレゾルバステータ構造が有するので、部品点数の増加とコストの増大を抑えつつレゾルバの検出精度を向上させることができる。
【図面の簡単な説明】
【０００９】
【図１】この発明の実施の形態に係るレゾルバステータ構造の概略図である。
【図２】この発明の実施の形態に係るレゾルバステータ構造の断面図である。
【図３】この発明の実施の形態に係る第１輪状巻線カバー又は第２輪状巻線カバーの拡大断面図である。
【図４】従来のレゾルバステータ構造の概略図である。
【発明を実施するための形態】
【００１０】
以下、この発明の実施の形態を添付図面の図１、図２及び図３に基づいて説明する。なお、従来例と同一または同等部分には同一符号を付して説明する。
図１は、この発明の実施の形態に係るレゾルバステータ構造の平面図である。図２は、図１に示すレゾルバステータ構造のＡ−Ａ線断面図であり、図３は図２に示す第１輪状巻線カバー又は第２輪状巻線カバーの拡大断面図である。レゾルバステータ構造１は、主として、輪状ステータコア２と、ステータ巻線３と、第１輪状巻線カバー５ａ及び第２輪状巻線カバー５ｂとから構成されている。
【００１１】
前記輪状ステータコア２は、電磁鋼板等の磁性体で構成されている。また、前記輪状ステータコア２には、周方向に互いに間隔を置いて前記輪状ステータコア２の内周縁２４から径方向内側に延出された複数のティース２０が設けられている。前記各ティース２０には、輪状絶縁カバー２１を介してステータ巻線３が巻回されている。なお、前記輪状絶縁カバー２１は、前記輪状ステータコア２及び前記ティース２０と共にインサート成形がなされる等により一体に成形されていてもよいし、前記輪状ステータコア２の第１端面２ａ及び第２端面２ｂ用にそれぞれ前記輪状絶縁カバー２１を形成して、前記輪状ステータコア２を挟むようにして設けてもよい。また、前記輪状ステータコア２の径方向内側には、ロータ６が設けられている。
【００１２】
前記輪状ステータコア２の第１端面２ａ及び第２端面２ｂ上には、前記ステータ巻線３を覆うための樹脂製の第１輪状巻線カバー５ａ及び第２輪状巻線カバー５ｂが設けられている。なお、図１には第１輪状巻線カバー５ａは図示されていない。
【００１３】
前記第１輪状巻線カバー５ａ及び前記第２輪状巻線カバー５ｂには、機能性めっき５０が施されている。前記機能性めっき５０は、磁気遮蔽機能及び静電遮蔽機能のうち少なくとも一つの機能を有するめっきであり、目的に応じた適宜な種類のめっきであればよい。また、前記機能性めっき５０は、前記第１輪状巻線カバー５ａ及び前記第２輪状巻線カバー５ｂのそれぞれの両面に施されていてもよいし、前記第１輪状巻線カバー５ａ及び前記第２輪状巻線カバー５ｂのそれぞれの片面にだけ施されていてもよい。
【００１４】
例えば、前記レゾルバステータ構造１の外部からの磁界の影響を低減するためには、前記機能性めっき５０がニッケルめっき等の強磁性体を用いためっきであればよい。これにより、前記機能性めっき５０は磁気遮蔽機能を有するので、前記レゾルバステータ構造１の外部から前記輪状ステータコア２及び前記ステータ巻線３への磁界の影響を低減することができる。
【００１５】
また、例えば、前記レゾルバステータ構造１の外部からの電界の影響である高周波電波ノイズの影響を低減するためには、前記機能性めっき５０が銅めっき等の導電性材料を用いためっきであればよい。これにより、前記機能性めっき５０は静電遮蔽機能を有するので、前記レゾルバステータ構造１の外部から前記輪状ステータコア２及び前記ステータ巻線３への高周波電波ノイズの影響を低減することができる。
【００１６】
さらにまた、前記機能性めっき５０がニッケルめっき等の強磁性体を用いためっき及び銅めっき等の導電性材料を用いためっきの両方を同時に施すめっきであってもよい。これにより、前記機能性めっき５０は磁気遮蔽機能及び静電遮蔽機能を同時に有するので、前記レゾルバステータ構造１の外部から前記輪状ステータコア２及び前記ステータ巻線３への磁界の影響及び高周波電波ノイズの影響を低減することができる。
【００１７】
このようなレゾルバステータ構造では、前記ステータ巻線３を覆うための前記第１輪状巻線カバー５ａ及び前記第２輪状巻線カバー５ｂに、磁気遮蔽機能及び静電遮蔽機能のうち少なくとも一つの機能を有する前記機能性めっき５０を施しており、前記輪状ステータコア２及び前記ステータ巻線３に対する外部からの磁束及び高周波電磁ノイズの侵入を防止する前記第１輪状巻線カバー５ａ及び前記第２輪状巻線カバー５ｂをレゾルバステータ構造１が有するので、部品点数の増加とコストの増大を抑えつつレゾルバの検出精度を向上させることができる。
【００１８】
また、このようなレゾルバステータ構造では、前記機能性めっき５０は、強磁性体を用いた磁気遮蔽機能を有するめっきであってもよいし、導電性材料を用いた静電遮蔽機能を有するめっきであってもよいし、強磁性体を用いた磁気遮蔽機能を有するめっき及び導電性材料を用いた静電遮蔽機能を有するめっきを両方施しためっきであってもよいので、目的に合っためっきを適宜施すことができる。
【００１９】
尚、本発明によるレゾルバステータ構造の要旨とするところは、以下の通りである。複数の前記ティース２０を有する前記輪状ステータコア２と、前記ティース２０に前記輪状絶縁カバー２１を介して巻回された前記ステータ巻線３と、前記輪状ステータコア２の前記第１端面２ａ及び前記第２端面２ｂに設けられ、前記ステータ巻線３を覆うための前記第１輪状巻線カバー５ａ及び前記第２輪状巻線カバー５ｂとを備え、前記第１輪状巻線カバー５ａ及び前記第２輪状巻線カバー５ｂには、磁気遮蔽機能及び静電遮蔽機能のうち少なくとも一つの機能を有する前記機能性めっき５０が施されていることであり、また、前記機能性めっき５０は、強磁性体を用いた磁気遮蔽機能を有するめっきであり、また、前記機能性めっき５０は、導電性材料を用いた静電遮蔽機能を有するめっきであり、また、前記機能性めっき５０は、強磁性体を用いた磁気遮蔽機能を有するめっき及び導電性材料を用いた静電遮蔽機能を有するめっきの両方を施しためっきである。
【産業上の利用可能性】
【００２０】
本発明によるレゾルバステータ構造では、輪状ステータコア及びステータ巻線を覆うための第１輪状巻線カバー及び第２輪状巻線カバーに、磁気遮蔽機能及び静電遮蔽機能のうち少なくとも一つの機能を有する機能性めっきを施しており、輪状ステータコア及びステータ巻線に対する外部からの磁界及び高周波電磁ノイズの侵入を防止する第１輪状巻線カバー及び第２輪状巻線カバーをレゾルバステータ構造が有するので、部品点数の増加とコストの増大を抑えつつレゾルバの検出精度を向上させることができる。
【符号の説明】
【００２１】
１          レゾルバステータ構造
２          輪状ステータコア
２ａ        第１端面
２ｂ        第２端面
３          ステータ巻線
５ａ        第１輪状巻線カバー
５ｂ        第２輪状巻線カバー
２０        ティース
２１        輪状絶縁カバー
５０        機能性めっき
【図１】
2017062142.tif 000003
【図２】
2017062142.tif 000004
【図３】
2017062142.tif 000005
【図４】
2017062142.tif 000006